(57)【特許請求の範囲】
【請求項１】
取り外し可能なタイプの結束バンド１００であって、
止め具１０とバンド部２０とを含み、
前記止め具１０に挿通孔１１が形成され、
前記バンド部２０は、第１端２１と第２端２２を備え、前記第１端２１が前記止め具１０に連結し、前記第２端２２が前記挿通孔１１から挿通され、且つ、前記止め具１０と相互に嵌合固定でき、
前記止め具１０は、底板１２、１対の第１壁部１３、第２壁部１４、及び、操作ロッド１５を備え、
前記止め具１０の前記挿通孔１１が前記底板１２に開設され、
前記底板１２が前側１２１と後側１２２を備え、
前記第１壁部１３が前記底板１２の左右両側に設置され、
前記第２壁部１４が前記底板１２の前記前側１２１に設置され、且つ、
前記第２壁部１４の左右両側が各第１壁部１３までにそれぞれ連結し、
前記操作ロッド１５が前記底板１２の前記挿通孔１１の上方に設けられ、
前記操作ロッド１５は第１頂面１５１を備え、
前記第１頂面１５１は一定の延伸長さＬ１５を備え、
前記操作ロッド１５の左右両側がそれぞれ連結部１８を通じて各第１壁部１３までに連結し、
前記第１頂面１５１の垂直下向きに所定の深さｄの箇所に少なくとも１個の第１噛合歯１６が設置され、
前記第１噛合歯１６は第２頂面１６１を備え、また、前記第２頂面１６１に第１歯の高さｔ１が形成されており、
前記操作ロッド１５の前記バンド部２０への方向にアーム部１７を延出しており、及び、
前記バンド部２０は第３頂面２３と底面２４を備え、
前記第３頂面２３が前記底面２４より前記操作ロッド１５の前記アーム部１７に近接し、前記底面２４に複数の第２噛合歯２５が設置されて、前記操作ロッド１５の前記第１噛合歯１６と相互に噛み合うことができ、
前記第２噛合歯２５は歯ピッチｐと第２歯の高さｔ２を有し、前記第１歯の高さｔ１が前記第２歯の高さｔ２を上回り、前記深さｄは前記歯ピッチｐを上回り、前記延伸長さＬ１５を備えることにより、前記バンド部２０が大きな力を受け、前記留め具１０から抜けようとする時、前記操作ロッド１５の回転を防ぐことを特徴とする、
取り外し可能なタイプの結束バンド。
【発明の詳細な説明】
【技術分野】
【０００１】
本発明は、結束バンドに関し、特に、取り外し可能なタイプを有する結束バンドに関する。
【背景技術】
【０００２】
市販されている結束バンドは通常一般的な電源コード或いはその他の被結束物を縛って、結束固定及び収納等の用途に使われている。
しかしながら、結束バンドで一度結束した後ではずすことができないため、被結束物を追加したい場合若しくは改めて物品を収納し直す場合、結束バンドを切断し、また別の新しい結束バンドを使用する必要があり、使用において非常に不便なだけではなく、使用コストもアップして、資源の浪費が起きてしまう。
【発明の概要】
【発明が解決しようとする課題】
【０００３】
上述の先行技術の欠陥を解決するため、本発明は止め具とバンド部を含む取り外し可能なタイプの結束バンドを提供することにある。止め具に挿通孔が形成され、バンド部が第１端と第２端を備え、第１端が止め具に連結され、第２端が挿通孔から挿通されて、且つ止め具と相互に嵌合固定できる。
【０００４】
その他、止め具は底板、１対の第１壁部、第２壁部及び操作ロッドを備える。
止め具の挿通孔が底板に開設され、底板は前側と後側を有し、この１対の第１壁部が底板の左右両側に設置され、第２壁部が底板の前側に設置され、且つ第２壁部の左右両側が各第１壁部までそれぞれ連結する。
操作ロッドが底板の挿通孔の上方に設置され、操作ロッドの左右両側がそれぞれ連結部を通じて各第１壁部に連結する。
操作ロッドは第１頂面を備え、第１頂面が垂直下向きの深さを有し、この深さの箇所に少なくとも１個の第１噛合歯が設けられ、第１噛合歯は第２頂面を備え、第２頂面に第１歯の高さを形成し、操作ロッドからバンド部へ方向にアーム部を延出する。
【０００５】
バンド部は第３頂面と底面を備え、第３頂面は底面より更に操作ロッドのアーム部に近接する。
底面に複数の第２噛合歯が設置され、操作ロッドの第１噛合歯と相互に噛み合わせることができる。
複数の第２噛合歯に歯ピッチと第２歯の高さを有し、第１歯の高さは第２歯の高さを上回り、深さが歯ピッチを上回る。
【０００６】
本発明の主な目的は、バンド部を止め具の挿通孔に挿通させる場合、第１噛合歯の第１歯の高さが第２噛合歯の歯の高さを上回るため、相互に噛み合った時、第１噛合歯と第２噛合歯の間に微小な隙間ができるため、先行技術と比較すると、バンド部は非常に容易に挿通孔に挿入でき、挿入する抵抗力も比較小さく取り外し可能なタイプの結束バンドを提供することにある。
【０００７】
本発明の別の目的は、操作ロッドと第１噛合歯の間に一定の深さを有し、各第２噛合歯の間に歯ピッチを有し、バンド部を第１方向から止め具の挿通孔に挿通した後、バンド部の第２噛合歯と操作ロッドの第１噛合歯とが相互に噛み合い、この深さが歯ピッチを上回るため、この深さが少なくとも２個の第２噛合歯を同時に支えることができるので、この深さはバンド部の歯ピッチを同時に支えることができる。これにより、この取り外し可能なタイプの結束バンドの引抜強度を向上できる取り外し可能なタイプの結束バンドを提供することにある。
【０００８】
さらに、本発明の別の目的は、止め具の操作ロッドは第１頂面を備え、この第１頂面は一定の延伸長さを有し、この延伸長さを備えることにより操作ロッドはバンド部が力を受けても容易に回転させることがなく、従ってバンド部に当接でき、このため、このバンド部は止め具から抜けにくい取り外し可能なタイプの結束バンドを提供することにある。
【０００９】
さらに、本発明の別の目的は、操作ロッドの延出したアーム部を通じて利用者は、操作ロッドの延出したアーム部に対し軽い加力で簡単に操作ロッドの第１噛合歯とバンド部の第２噛合歯との噛み合い状態を解除し、更にバンド部の第２端を止め具の挿通孔箇所から取り外すことができるため、簡単に操作できると共に繰り返し使用でき、従って使用コストを削減できる取り外し可能なタイプの結束バンドを提供することにある。
【課題を解決するための手段】
【００１０】
上記の目的を達成するため、本発明の取り外し可能なタイプの結束バンドは、止め具とバンド部とを含む。
止め具は底板、１対の第１壁部、第２壁部及び操作ロッドを備え、止め具の底板に挿通孔が開設され、操作ロッドを挿通孔の上方に設置され、操作ロッドの左右両側はそれぞれ連結部を通じて各第１壁部までに連結する。
操作ロッドは第１頂面を備え、第１頂面が垂直下向きの深さの箇所に少なくとも１個の第１噛合歯が設けられる。
第１噛合歯は第２頂面を備え、第２頂面に第１歯の高さを形成しており、且つ操作ロッドからバンド部への方向にアーム部を延出する。
バンド部は第３頂面と底面を備え、その底面に複数の第２噛合歯が設置されて、操作ロッドの第１噛合歯と相互に噛み合うことができる。
各第２噛合歯は歯ピッチと第２歯の高さを備え、且つ第１歯の高さは第２歯の高さを上回り、深さが歯ピッチを上回るよう構成する。
【図面の簡単な説明】
【００１１】
【図１】本発明に基づいて提供する好ましい実施例で、取り外し可能なタイプの結束バンドを示す図である。
【図２】本発明に基づいて提供する好ましい実施例で、取り外し可能なタイプの結束バンドの立体図である。
【図３】本発明に基づいて提供する好ましい実施例で、図１内のＡ−Ａ切断線の断面視図である。
【図４】本発明に基づいて提供する好ましい実施例で、取り外し可能なタイプの結束バンドの断面視図である。
【図５】本発明に基づいて提供する好ましい実施例で、取り外し可能なタイプの結束バンドの平面図である。
【発明を実施するための形態】
【００１２】
本発明は、取り外し可能なタイプの結束バンドを開示するものであり、この中で使用する噛合歯及び相互に噛合わせることで嵌合固定効果を実現する関連の原理は、すでに関連技術の分野において通常の知識を有する者も理解できるため、下記の説明において、詳細な記述を行わない。
また、下記の参照図面は、本発明の特徴と関係する構造概念を表明し、実際の寸法で完全に作図する必要がないため、この点について予め説明する。
【００１３】
まず、図１を参照しながら説明する。
図１は、本発明に基づいて提供する好ましい実施例で、取り外し可能なタイプの結束バンド１００である。
この取り外し可能なタイプの結束バンド１００には止め具１０と一個バンド部２０とを含む。
止め具１０に挿通孔１１を形成しており、挿通孔１１には更に第１挿通孔１１１と第２挿通孔１１２とを含む。
バンド部２０は第１端２１と第２端２２を備え、第１端２１が止め具１０に連結され、第２端２２は止め具１０の挿通孔１１から挿通され、且つ止め具１０と相互に嵌合固定でき、これをもって被結束物を縛ることができる。
【００１４】
次に、図２を参照しながら説明する。図２は、この取り外し可能なタイプの結束バンド１００の立体図である。
この止め具１０は底板１２（図１を参照）、１対の第１壁部１３、第２壁部１４及び操作ロッド１５を備える。底板１２は前側１２１と後側１２２を有し、これをもってバンド部２０の第１端２１が止め具１０の底板１２の後側１２２と連結する。
止め具１０の挿通孔１１が底板１２に開設され、この１対の第１壁部１３はそれぞれ底板１２の左右両側に設置され、第２壁部１４が底板１２の前側１２１に設置され、且つ第２壁部１４の左右両側がそれぞれ各第１壁部１３までに連結する。
操作ロッド１５が底板１２の挿通孔１１の上方に設置され、操作ロッド１５は第１頂面１５１を有し、且つこの操作ロッド１５の左右両側がそれぞれ連結部１８を通じて各第１壁部１３までに連結する。
また連結部１８も操作ロッド１５のアーム部１７と連結する。
【００１５】
次に、図３を参照しながら説明する。
図３は、図１内のＡ−Ａ切断線の断面視図である。
操作ロッド１５の第１頂面１５１が垂直下向きに一定の深さｄを有し、この深さｄの箇所に少なくとも１個の第１噛合歯１６（例えば、２歯、３歯等）が設けられており、この第１噛合歯１６は第２頂面１６１を備え、且つこの第２頂面１６１に第１歯の高さｔ１が形成され、第１頂面１５１と第２頂面１６１が相互に平行するのが好ましい。
その他、操作ロッド１５からバンド部２０への方向にアーム部１７が延出しており、更に操作ロッド１５は腰部１５２（図２を参照）を備え、アーム部１７の好ましい延出方法は操作ロッド１５の腰部１５２からバンド部２０への方向にこのアーム部１７を延出する。
また、バンド部２０は第３頂面２３と底面２４を有し、バンド部２０の第３頂面２３は底面２４より操作ロッド１５のアーム部１７に近接する。
【００１６】
次に、図４を参照しながら説明する。
図４は、バンド部２０を止め具１０に挿通した時の断面視図である。
バンド部２０は第１方向Ｂ１から止め具１０に挿通され、従って被結束物（図示せず）を縛る。
バンド部２０が止め具１０の中から外れる時、第２方向Ｂ２から引っ張る。
バンド部２０の底面２４に複数の第２噛合歯２５が設置され、操作ロッド１５の第１噛合歯１６と相互に噛み合うことができる。
各第２噛合歯２５の間に歯ピッチｐを有し、並びに各第２噛合歯２５が第２歯の高さｔ２も備える。重要なのは、第１歯の高さｔ１（図３を参照）は必ず第２歯の高さｔ２を上回り、且つ深さｄが歯ピッチｐを上回ること。
【００１７】
引き続き図４を参照しながら説明する。
実際に操作する時、被結束物を縛る場合、バンド部２０で被結束物を括った後、第１方向Ｂ１に沿って止め具１０に挿入してから第１方向Ｂ１に沿って被結束物をバンド部２０で結束固定するまでバンド部２０を引き出す。
この場合、バンド部２０が第２方向Ｂ２から引き出されて止め具１０から抜けることを防止するため、操作ロッド１５は十分な引抜強度を有することが望ましい。
【００１８】
一般的に言うと、バンド部２０が第２方向Ｂ２から引き出された時、操作ロッド１５に回転（ｏｖｅｒ ｔｕｒｎ）が生じ、従ってバンド部２０を容易に止め具１０から抜き取ることができる。
引き続き図４を参照しながら説明する。
本発明は実験により、アーム部１７を押圧しない状態において、バンド部２０を第２方向Ｂ２から引き出された時、バンド部２０の第２噛合歯２５１が操作ロッド１５の第１噛合歯１６と密着に噛み合うことができ、且つ上述の深さｄが歯ピッチｐを上回るため、操作ロッド１５が第２噛合歯２５２に当接することで、操作ロッド１５の回転を遅延または抵抗させ、従ってバンド部２０の第２噛合歯２５１と第１噛合歯１６が外れ難くなることを証明した。
言い換えると、この深さｄは同時に少なくとも２個の第２噛合歯２５１、２５２を支えることができる必要があり、つまり深さｄはバンド部２０の歯ピッチｐを上回る必要があり、これにより、バンド部２０も止め具１０から抜け難くなり、且つ取り外し可能なタイプの結束バンド１００の引抜強度を向上できる。
【００１９】
上述に続き、本発明の取り外し可能なタイプの結束バンド１００で被結束物を縛る時、バンド部２０で被結束物を括ってバンド部２０の第２端２２から第１方向Ｂ１に沿って止め具１０を挿通し、バンド部２０の第２噛合歯２５、２５１、２５２が操作ロッド１５の第１噛合歯１６を第１方向Ｂ１に沿って押進し、操作ロッド１５を底板１２の後側１２２に振らせ、第１噛合歯１６の第１歯の高さｔ１が第２噛合歯２５の第２歯の高さｔ２を上回るため、操作者がバンド部２０の第２端２２を引っ張って第１方向Ｂ１から被結束物を縛る時、高さｔ１が高さｔ２よりも大きいため、操作者がバンド部２０を引っ張る時抵抗力なく、スムーズにできる。
先行技術と比較すると、バンド部２０は容易に挿通孔１１に挿入できる。
【００２０】
特に留意するのは、上述の深さｄが歯ピッチｐの１．５倍を上回ることが好ましく、並びに第１歯の高さｔ１の高さが第２歯の高さｔ２の高さを０．０５ｍｍ〜０．１ｍｍ上回ることが好ましい。
【００２１】
次に、図４を参考しながら説明する。
第１頂面１５１は一定の延伸長さL１５を備え、且つこの延伸さL１５は第１歯の高さｔ１（図３を参照）を上回る。
一般的に言うと、バンド部２０は第１方向Ｂ１に沿って止め具１０の挿通孔１１に挿通した後、バンド部２０が受けた力は第２方向Ｂ２に沿って止め具１０から外れそうな時、この場合バンド部２０が受ける力は増大し、またバンド部２０が受ける力は増大するため容易に操作ロッド１５を回転させ、従ってバンド部２０は、容易に止め具１０から抜き取ることができる。
一方、本発明では、この延伸長さL１５を備えることにより、操作ロッド１５がバンド部２０の受けた力の増大によって容易に回転することなく、従って操作ロッド１５は安定的にバンド部２０に当接させることができ、これによりバンド部２０は止め具１０から抜け難くなる。
【００２２】
その他、市販されている一般の取り外し可能なタイプの結束バンドは、爪或いは先鋭物により大きな力で噛み合いを制御する部位を押圧すると共に噛み合い状態を解除してから結束バンドのバンド部を緩めることができるものとは異なる。
本発明の取り外し可能なタイプの結束バンド１００は操作ロッド１５を通じてバンド部２０への方向にアーム部１７を延出し、利用者はアーム部１７を挿通孔１１の第２開口１１２方向へ加力すると、操作ロッド１５を底板１２の後側１２２へ振られることで、第１噛合歯１６と第２壁部１４との距離が増大し、このため、更にバンド部２０が止め具１０の挿通孔１１箇所から第２方向Ｂ２に沿って取り外しやすく、以って繰り返し使用で、従って使用コストを削減できる。
【００２３】
また、利用者は、操作ロッド１５の延出したアーム部１７に対して軽く加力して操作ロッド１５の第１噛合歯１６とバンド部２０の第２噛合歯２５との噛み合い状態を解除し、更にバンド部２０の第２端２２を止め具１０の挿通孔１１箇所から取り外すことができる。これにより、簡単操作の目的を達成できる。
【００２４】
引き続き図２を参照しながら説明する。
止め具１０構造は更に堅牢させ、且つ数回繰り返し使用できるため、本発明の取り外し可能なタイプの結束バンド１００は、更に操作ロッド１５の上半部とアーム部１７に連結する補強リブ１９を含み、これをもって操作ロッド１５とアーム部１７の構造を強化し、従って本発明の取り外し可能なタイプの結束バンド１００の使用回数をアップすることができる。
その他、本発明で開示する好ましい実施例の中で、この取り外し可能なタイプの結束バンド１００の底板１２の左右両側に１対の補強構造１９１が更に設置され、これをもって本発明の取り外し可能なタイプの結束バンド１００の底板１２構造を更に強化させることができる。
【００２５】
また、効果的に本発明の取り外し可能なタイプの結束バンド１００の製造コストを更に削減し、並びに良好な耐力及び操作しやすい等の特性を持たせるため、好ましい製造方法は一体成型のものを採用する。
図５を参照しながら説明する。
図５は止め具１０の底板１２を手前から見た平面図であり、挿通孔１１の第１開口１１１は第２開口１１２より第２壁部１４に近接し、且つ第１開口１１１の面積はバンド部２０の断面面積を上回り、第２開口１１２の面積は操作ロッド１５のアーム部１７の投影面積を上回る。
【００２６】
さらに図５を参考しながら説明する。
第１開口１１１は第１横向き開度Ｗ０１と第１縦向き開度Ｖ０１を備える。第１横向き開度Ｗ０１はバンド部２０の幅Ｂ２０を上回り、第１縦向き開度Ｖ０１はバンド部２０の厚さＴ２０（図３を参照）を上回る。
【００２７】
また、引き続き図５を参照しながら説明する。
第２開口１１２は第２横向き開度Ｗ０２と第２縦向き開度Ｖ０２を備える。
第２横向き開度Ｗ０２はアーム部１７の幅Ｂ１７を上回り、第２縦向き開度Ｖ０２はアーム部１７の長さL１７（図３を参照）を上回る。
【００２８】
上述の挿通孔１１の構造は、主に起型に有利で、特に小型結束バンドの製造に適し、これにより構造が強く、品質が好ましい取り外し可能なタイプの結束バンド１００を製造する。
【００２９】
以上の記述は、本発明の好ましい実施例のみであり、本発明特許請求の権利が限定されるものではない。同時に本技術分野を熟知する者が以上の記述を理解及び実施できる。このため、本発明の精神を逸脱しない範囲内において種々の改良変更をなし得ることは、特許請求の範囲内に含めるものであるのが勿論である。
【符号の説明】
【００３０】
１００  取り外し可能なタイプの結束バンド
１０    止め具
１１    挿通孔
１１１  第１開口
１１２  第２開口
１２    底板
１２１  前側
１２２  後側
１３    第１壁部
１４    第２壁部
１５    操作ロッド
１５１  第１頂面
１５２  腰部
１６    第１噛合歯
１６１  第２頂面
１７    アーム部
１８    連結部
１９    補強リブ
１９１  補強構造
２０    バンド部
２１    第１端
２２    第２端
２３    第３頂面
２４    底面
２５、２５１、２５２  第２噛合歯
ｔ１    第１歯の高さ 
ｔ２    第２歯の高さ 
Ｔ２０  バンド部の厚さ
Ｂ１７  アーム部の幅 
Ｂ２０  バンド部の幅 
L１５    延伸長さ 
L１７    アーム部の長さ 
Ｗ０１  第１横向き開度 
Ｗ０２  第２横向き開度 
Ｖ０１  第１縦向き開度 
Ｖ０２  第２縦向き開度 
ｄ      深さ 
ｐ      歯ピッチ 
Ｂ１    第１方向 
Ｂ２    第２方向 
【図１】
0005746488.tif 000002
【図２】
0005746488.tif 000003
【図３】
0005746488.tif 000004
【図４】
0005746488.tif 000005
【図５】
0005746488.tif 000006